(57)【要約】【課題】ユーザが複数の撮影モードを一覧表示中から選択する際に、より利用環境に適した撮影モードの選択をより速やかに行うことができる撮像装置及びその制御方法を提供する。【解決手段】ユーザが希望する撮影モードを表示装置に表示された一覧の中から選択可能な撮像装置において、撮影環境取得回路２０４が、メニューキー２０６が操作された時の日付、時刻及び位置の撮影環境を取得する。評価回路２０５が、予め複数の撮影モードと撮影環境との関係を評価する。この評価結果に応じて、表示データ生成回路２０８が、選択される可能性が高い順に撮影モードの種類が表示装置に表示されるように表示データを作成する。【選択図】図２
2007235424.tif 000002
【特許請求の範囲】
【請求項１】
複数の撮影モードを表示し、表示される複数の撮影モードから１つの撮影モードを選択する撮像装置であって、
前記撮像装置のおかれている環境に関する情報を取得する環境情報取得手段と、
前記環境情報取得手段によって取得される環境情報に基づいて、前記複数の撮影モードの表示形態を変更する表示制御手段とを有することを特徴とする撮像装置。
【請求項２】
前記複数の撮影モードにはそれぞれ環境属性を表す環境パラメータが設定され、前記表示制御手段は前記環境情報取得手段によって取得される環境情報に適合する環境パラメータを有する撮影モードが、前記環境情報取得手段によって取得される環境情報に適合しない環境パラメータを有する撮影モードよりも優先的に表示するように、前記複数の撮影モードの表示順を制御することを特徴とする請求項１に記載の撮像装置。
【請求項３】
前記環境情報取得手段によって取得される環境情報は少なくとも時間情報を有し、前記環境パラメータは少なくとも時間に関する属性を有し、前記表示制御手段は前記環境情報取得手段によって取得される時刻情報と前記環境パラメータの時間に関する属性と適合するかどうかを判断することを特徴とする請求項２に記載の撮像装置。
【請求項４】
前記環境情報取得手段によって取得される環境情報は少なくとも位置情報及び日付情報を有し、前記環境パラメータは少なくとも季節に関する属性を有し、前記表示制御手段は前記環境情報取得手段によって取得される位置情報及び日付情報から季節情報を生成して、前記環境パラメータの季節に関する属性と適合するかどうかを判断することを特徴とする請求項２又は３に記載の撮像装置。
【請求項５】
前記複数の撮影モードにはそれぞれ過去に選択された回数を記憶する記憶手段を有し、前記環境情報に適合する環境パラメータを有する撮影モードが複数ある場合に、前記表示制御手段は前記記憶手段に記憶されている回数に基づいて前記複数の撮影モードの表示順を制御することを特徴とする請求項２乃至４のいずれか１項に記載の撮像装置。
【請求項６】
複数の撮影モードを表示し、表示される複数の撮影モードから１つの撮影モードを選択する撮像装置の制御方法であって、
前記撮像装置のおかれている環境に関する情報を取得する環境情報取得ステップと、
前記環境情報取得ステップにて取得された環境情報に基づいて、前記複数の撮影モードの表示形態を変更する表示制御ステップとを有することを特徴とする撮像装置の制御方法。
【請求項７】
前記複数の撮影モードにはそれぞれ環境属性を表す環境パラメータが設定され、前記表示制御ステップでは前記環境情報取得ステップにおいて取得される環境情報に適合する環境パラメータを有する撮影モードが、前記環境情報取得ステップにおいて取得される環境情報に適合しない環境パラメータを有する撮影モードよりも優先的に表示するように、前記複数の撮影モードの表示順を制御することを特徴とする請求項６に記載の撮像装置の制御方法。
【請求項８】
複数の撮影モードを表示し、表示される複数の撮影モードから１つの撮影モードを選択する撮像装置を制御するためのプログラムであって、
コンピュータに、
前記撮像装置のおかれている環境に関する情報を取得する環境情報取得手順と、
前記環境情報取得手順にて取得された環境情報に基づいて、前記複数の撮影モードの表示形態を変更する表示制御手順とを実行させることを特徴とするプログラム。
【請求項９】
前記複数の撮影モードにはそれぞれ環境属性を表す環境パラメータが設定され、前記表示制御手順では前記環境情報取得手順において取得される環境情報に適合する環境パラメータを有する撮影モードが、前記環境情報取得手順において取得される環境情報に適合しない環境パラメータを有する撮影モードよりも優先的に表示するように、前記複数の撮影モードの表示順を制御することを特徴とする請求項８に記載のプログラム。
【発明の詳細な説明】
【技術分野】
【０００１】
本発明は、選択された撮影モードに応じて動作を切り替える撮像装置及びその制御方法に関する。
【背景技術】
【０００２】
従来、デジタルスチルカメラやデジタルビデオカメラをはじめとする撮像装置には、ユーザが使用する撮影環境下で、より効果的な撮影結果が得られるように、露出、色、画質等の設定及び制御が互いに異なる複数の撮影モードを有するものがある。これらの複数の撮影モードは、表示部等にサンプル画像や撮影モードの名称が表示され、表示情報に基づいてユーザが選択キーの操作により所望の撮影モードを選択することが可能である。
【０００３】
このような撮影モード選択機能を有するカメラにおいて、ユーザが所望とする撮影モードを速やかに選択するために、撮影モードのサンプル画を順次表示する際の表示順をカメラの使用条件に応じて変更するものがある（例えば、特許文献１参照）。
【０００４】
また、カメラのおかれている環境を検出し、検出した環境と近い順に撮影モードの選択順番を変更するものもある（例えば、非特許文献１参照）。
【０００５】
【特許文献１】特開２００２−２４７４１８号公報
【非特許文献１】公開技報番号２００４−５０６７７０号
【発明の開示】
【発明が解決しようとする課題】
【０００６】
しかしながら、上述した撮影モードのサンプル画を順次表示してユーザに選択させる方法では、ユーザは所望とする撮影モードであるか否かを、表示されるサンプル画を見てから判断することになるため、選択操作の応答性が悪くなる。一方、撮影環境に近い順に撮影モードの選択順番を変える方法では、撮影時の撮影環境と逆の環境で定義されている撮影モードと、撮影環境に依存しない撮影モードでは撮影環境に近いか否かの判断ができず、同じ優先度として扱われる。このため、最適な並べ替えが行われない。
【０００７】
本発明は、かかる課題について鑑みてなされたものであって、ユーザが複数の撮影モードを一覧表示中から選択する際に、より利用環境に適した撮影モードの選択をより速やかに行うことができる撮像装置及びその制御方法を提供することを目的とする。
【課題を解決するための手段】
【０００８】
本願発明者は、前記課題を解決すべく鋭意検討を重ねた結果、以下に示す発明の諸態様に想到した。
【０００９】
本発明に係る撮像装置は、複数の撮影モードを表示し、表示される複数の撮影モードから１つの撮影モードを選択する撮像装置であって、前記撮像装置のおかれている環境に関する情報を取得する環境情報取得手段と、前記環境情報取得手段によって取得される環境情報に基づいて、前記複数の撮影モードの表示形態を変更する表示制御手段とを有することを特徴とする。
【００１０】
本発明に係る撮像装置の制御方法は、複数の撮影モードを表示し、表示される複数の撮影モードから１つの撮影モードを選択する撮像装置の制御方法であって、前記撮像装置のおかれている環境に関する情報を取得する環境情報取得ステップと、前記環境情報取得ステップにて取得された環境情報に基づいて、前記複数の撮影モードの表示形態を変更する表示制御ステップとを有することを特徴とする。
【００１１】
本発明に係るプログラムは、複数の撮影モードを表示し、表示される複数の撮影モードから１つの撮影モードを選択する撮像装置を制御するためのプログラムであって、コンピュータに、前記撮像装置のおかれている環境に関する情報を取得する環境情報取得手順と、前記環境情報取得手順にて取得された環境情報に基づいて、前記複数の撮影モードの表示形態を変更する表示制御手順とを実行させることを特徴とする。
【発明の効果】
【００１２】
本発明によれば、ユーザが複数の撮影モードを一覧表示中から選択する際に、より利用環境に適した撮影モードの選択をより速やかに行うことができる。
【発明を実施するための最良の形態】
【００１３】
以下、本発明の実施形態について添付の図面を参照して具体的に説明する。図１ａ及び図１ｂは、本発明の実施形態に係るデジタルスチルカメラ（撮像装置）を示す図である。図１ａは、デジタルスチルカメラを斜め前方から見た図であり、図１ｂは、デジタルスチルカメラを斜め後方から見た図である。
【００１４】
図１ａ及び図１ｂに示すように、このデジタルスチルカメラ１００には、記録画又は再生画を表示する液晶ディスプレイ等の表示装置１０２が設けられている。また、静止画の取り込みを開始するトリガースイッチ１０１、及び撮影モードの選択画面の表示／非表示を切り替えるメニューキー１０３が設けられている。更に、撮影モードを選択する選択キー１０４及び１０５、並びに選択した撮影モードを決定する決定キー１０６が設けられている。
【００１５】
次に、このデジタルスチルカメラの内部構成について説明する。図２は、本発明の実施形態に係るデジタルスチルカメラの内部構成を示すブロック図である。
【００１６】
このデジタルスチルカメラ１００には、ＧＰＳユニット２０１、ＧＰＳアンテナ２０２、時計回路２０３、撮影環境生成回路２０４、評価回路２０５、メニューキー２０６、キー入力回路２０７、表示データ生成回路２０８及び表示回路２０９が設けられている。表示データ生成回路２０８は、表示回路２０９を介して表示装置１０２の制御を行う表示制御手段として機能する。
【００１７】
ＧＰＳユニット２０１は、ＧＰＳアンテナ２０２が受信した信号を解析して、位置情報を取得し、撮影環境生成回路２０４に出力する。
【００１８】
撮影環境生成回路２０４は、ＧＰＳユニット２０１から得られた位置情報に基づいて撮影場所のエリア情報を取得する。そして、このエリア情報に基づき、図３に示す参照テーブル３０１から、その場所が北半球又は南半球のいずれかを示す半球情報と、緯度が高緯度、中緯度又は低緯度のいずれであるかを示す緯度情報とを取得する。更に、撮影環境生成回路２０４は、時計回路２０３から現在の日時を日時情報として取得し、この日時情報に含まれる月の情報並びに半球情報及び緯度情報に基づき、図４に示す参照テーブル４０１から、現在時がどの季節に属するかを示す季節属性を生成する。本実施形態では、季節属性は、春／秋、夏及び冬の３種類のいずれかである。更に、撮影環境生成回路２０４は、日時情報に含まれる時刻情報及び季節属性に基づき、図５に示す参照テーブル５０１から、現在時がどの時間帯に属するかを示す時間属性を生成する。本実施形態では、時間属性は、朝／夕、昼及び夜の３種類のいずれかである。
【００１９】
評価回路２０５は、撮影環境生成回路２０４が生成した現在時の季節属性及び時間属性と、各撮影モードで予め定義されている季節属性及び時間属性（図６）とを比較し、評価する。このとき、属性が一致すれば撮影モードの評価値（類似度）を上げ、属性が互いに逆になっていれば評価値（類似度）を下げる。ここで、逆の属性とは、季節属性では、夏と冬の関係を指し、時間属性では、昼と夜との関係を示す。春／秋、朝／夕には逆の属性は存在しない。
【００２０】
なお、ＧＰＳユニット２０１、時計回路２０３、撮影環境生成回路２０４、評価回路２０５は、デジタルスチルカメラが撮影可能な状態にあれば、常に動作している。
【００２１】
なお、参照テーブル３０１、４０１、５０１及び６０１は、予め定義されており、例えばデジタルスチルカメラ１００の内部に設けられたＲＯＭ等のメモリ（図示せず）に予め記憶されている。
【００２２】
メニューキー２０６は、図１ｂ中のメニューキー１０３に相当する。キー入力回路２０７は、メニューキー２０６からのキー入力を受け付ける。
【００２３】
表示データ生成回路２０８は、評価回路２０５により評価された各撮影モードの評価値に基づき、撮影モード選択画面データを生成する。そして、メニューキー２０６が操作されたことをキー入力回路２０７が検出すると、生成が済んだ撮影モード選択画面データを表示回路２０９へ出力する。
【００２４】
図１０は、表示装置１０２に表示される画像の例を示す図である。表示装置１０２には、図１０に示すように、被写体を映す撮影画面１００１が表示され、その上に撮影モード選択画面１００２が表示される。撮影モード選択画面１００２には、選択可能な撮影モードの名称が付されたアイコン１００４と、撮影モード選択用カーソル１００５とが含まれている。本実施形態では、撮影モードとして、「ポートレート」、「スポーツ」、「スポットライト」、「夜景」、「スノー」、「ビーチ」、「新緑／紅葉」、「打上花火」、「夕焼け」の９種類が予め設定されている。そして、初期状態では、図１０に示すように、９個のアイコン１００４が上記の順に上から並んで表示される。また、撮影画面１００１上には、操作手順を示す撮影モード選択補助画面１００３も表示される。
【００２５】
表示データ生成回路２０８は、メニューキー２０６が操作されたことをキー入力回路２０７が検出すると、評価値が大きい順に９種類の撮影モードの並び替えを行い、この順で９個のアイコン１００４が並ぶ撮影モード選択画面データを作成するのである。
【００２６】
表示回路２０９は、表示データ生成回路２０８から出力された各種表示データを表示装置１０２に表示する。
【００２７】
次に、撮影環境生成回路２０４及び評価回路２０５の詳細な動作について具体例を挙げて説明する。図８は、撮影環境生成回路２０４及び評価回路２０５の動作を示すフローチャートである。
【００２８】
先ず、ステップＳ８０１において、撮影環境生成回路２０４は、ＧＰＳユニット２０１が出力した位置情報から現在時のエリア情報を取得する。
【００２９】
次に、ステップＳ８０２において、撮影環境生成回路２０４は、時計回路２０３が出力した日時情報から月の情報及び時刻情報を取得する。
【００３０】
次いで、ステップＳ８０３において、撮影環境生成回路２０４は、ステップＳ８０１にて取得したエリア情報に含まれる半球情報及び緯度情報、並びにステップＳ８０２にて取得した月の情報から季節属性を生成する。
【００３１】
その後、ステップＳ８０４において、撮影環境生成回路２０４は、ステップＳ８０１にて取得したエリア情報に含まれる緯度情報、ステップＳ８０２にて取得した時刻情報、並びにステップＳ８０３にて生成した季節属性から時間属性を生成する。そして、これらの属性情報を評価回路２０５に出力する。
【００３２】
続いて、ステップＳ８０５において、評価回路２０５が、９種類の撮影モードのうちの任意の１つについて、当該撮影モードに定義されている季節属性及び時間属性を取得する。
【００３３】
次に、ステップＳ８０６において、評価回路２０５は、撮影環境生成回路２０４から受け取った季節属性とステップＳ８０５にて取得した撮影モードの季節属性とが一致するか否かを判別する。そして、一致する場合はステップＳ８０７へ進み、一致しない場合はステップＳ８０８へ進む。
【００３４】
ステップＳ８０７では、評価回路２０５は、比較した撮影モードの評価値を所定の値だけ加算し（例えば、＋１）、ステップＳ８１０へ進む。
【００３５】
一方、ステップＳ８０８では、評価回路２０５は、撮影環境生成回路２０４から受け取った季節属性とステップＳ８０５にて取得した撮影モードの季節属性とが逆属性の関係にあるか否かを判別する。つまり、一方が「夏」で他方が「冬」であるか否かを判別する。そして、逆属性の関係にある場合はステップＳ８０９へ進み、逆属性の関係にない場合はステップＳ８１０へ進む。
【００３６】
ステップＳ８０９では、評価回路２０５は、比較した撮影モードの評価値を所定の値だけ減算し（例えば、−１）、ステップＳ８１０へ進む。
【００３７】
ステップＳ８１０において、評価回路２０５は、撮影環境生成回路２０４から受け取った現在時の時間属性とステップＳ８０５にて取得した撮影モードの時間属性とが一致するか否かを判別する。そして、一致する場合はステップＳ８１１へ進み、一致しない場合はステップＳ８１２へ進む。
【００３８】
ステップＳ８１１では、評価回路２０５は、比較した撮影モードの評価値を所定の値だけ加算し（例えば、＋１）、ステップＳ８１４へ進む。
【００３９】
一方、ステップＳ８１２では、評価回路２０５は、撮影環境生成回路２０４から受け取った現在時の時間属性とステップＳ８０５にて取得した撮影モードの時間属性とが逆属性の関係にあるか否かを判別する。つまり、一方が「昼」で他方が「夜」であるか否かを判別する。そして、逆属性の関係にある場合はステップＳ８１３へ進み、逆属性の関係にない場合はステップＳ８１４へ進む。
【００４０】
ステップＳ８１３では、評価回路２０５は、比較した撮影モードの評価値を所定の値だけ減算し（例えば、−１）、ステップＳ８１４へ進む。
【００４１】
ステップＳ８１４において、評価回路２０５は、９種類の全ての撮影モードについて季節属性及び時間属性の評価が完了したか否かを判断する。完了していれば評価結果を表示データ生成回路２０８に出力し、処理を終了する。完了していない場合はステップＳ８０５へ戻り、評価が完了していない他の撮影モードについて季節属性及び時間属性の評価を行う。
【００４２】
このようにして、撮影環境生成回路２０４及び評価回路２０５の動作が完了する。その後、表示データ生成回路２０８が、メニューキー２０６の操作をトリガとして評価回路２０５による評価結果を反映した撮影モード選択画面データを作成し、表示回路２０９がこのデータに基づく撮影モード選択画面１００２を表示装置１０２に表示させる。
【００４３】
なお、評価値が互いに等しい撮影メニューが２以上ある場合は、並び替え直前の並び順において上位にある撮影モードをより上位となるように並べ替える。
【００４４】
そして、選択キー１０４又は１０５が操作されると、カーソル１００５が上下に移動し、ユーザが所望の撮影モード上にカーソル１００５が位置することを確認して決定キー（ｓｅｔ）１０６を操作すると、撮影モードをその撮影モードに切り替える。つまり、露出、色、画質等の設定及び制御方法等を変更する。
【００４５】
ここで、メニューキー１０３（２０６）の操作に伴って表示される撮影モード選択画面１００２の例について説明する。
【００４６】
例えば、図９ａに示すように、ＧＰＳユニット２０１により「東京」というエリア情報が取得され、時計回路により「７月３０日  ８：００ＰＭ」という時刻情報が取得されているとする。
【００４７】
この条件下では、撮影環境取得回路２０４は、半球情報及び緯度情報として、参照テーブル３０１から夫々「０」、「１」を取得する。そして、半球情報及び月情報から、参照テーブル４０１に基づき季節属性として「夏」を示す「２」を取得する。同様に、現在時刻から参照テーブル５０１に基づき現在時の時間属性として「夜」を示す「３」を取得する。
【００４８】
次いで、評価回路２０５が、得られた季節属性及び時間属性と、参照テーブル６０１に示す各撮影モードに対して定義されている季節属性及び時間属性と比較し、各撮影モードの評価値を決定する。並べ替え前（初期状態）の撮影モード表示順９０１ｂに対し、上述の評価結果データ９０１ａに基づいて、評価値が大きい順（＝優先度の高い順）に表示の上位となるように並べ替えを行うと、撮影モード表示順９０１ｃが得られる。つまり、夜間撮影に適した撮影モードが撮影モード選択画面１００２の上位に配置され、昼間の撮影に適した撮影モードが下位に配置される。更に、夜間撮影に適した撮影モードの間では、「夏」の属性を有する撮影モードが上位に配置される。また、昼間に適した撮影モードの間では、「冬」に適合する撮影モードが下位に配置される。
【００４９】
この結果、図７ａに示すように、撮影モード選択画面１００２内で、９個のアイコン１００４が、「打上花火」、「夜景」、「ポートレート」、「スポットライト」、「ビーチ」、「夕焼け」、「スポーツ」、「新緑／紅葉」、「スノー」の順に並んで表示される。
【００５０】
また、例えば、図９ｂに示すように、ＧＰＳユニット２０１により「シドニー」というエリア情報が取得され、時計回路により「１月１日  １：００ＰＭ」という時刻情報が取得されている場合には、次のようになる。
【００５１】
この条件下では、撮影環境取得回路２０４は、半球情報及び緯度情報として、参照テーブル３０１から夫々「１」、「１」を取得する。そして、半球情報及び月情報から、参照テーブル４０１に基づき季節属性として「夏」を示す「２」を取得する。同様に、現在時刻から参照テーブル５０１に基づき現在時の時間属性として「昼」を示す「２」を取得する。
【００５２】
次いで、評価回路２０５が、得られた季節属性及び時間属性と、参照テーブル６０１に示す各撮影モードに対して定義されている季節属性及び時間属性と比較し、各撮影モードの評価値を決定する。並べ替え前（初期状態）の撮影モード表示順９０２ｂに対し、上述の評価結果データ９０２ａに基づいて、評価値が大きい順（＝優先度の高い順）に表示の上位となるように並べ替えを行うと、撮影モード表示順９０２ｃが得られる。つまり、昼間撮影に適した撮影モードが撮影モード選択画面１００２の上位に配置され、夜間の撮影に適した撮影モードが下位に配置される。更に、昼間撮影に適した撮影モードの間では、「夏」の属性を有する撮影モードが上位に配置され、「冬」の属性を有する撮影モードが下位に配置される。
【００５３】
この結果、図７ｂに示すように、撮影モード選択画面１００２内で、９個のアイコン１００４が、「ビーチ」、「スポーツ」、「ポートレート」、「スポットライト」、「スノー」、「新緑／紅葉」、「打上花火」、「夕焼け」、「夜景」の順に並んで表示される。
【００５４】
また、例えば、図９ｃに示すように、ＧＰＳユニット２０１により「東京」というエリア情報が取得され、時計回路により「４月２０日  １１：００ＡＭ」という時刻情報が取得されている場合には、次のようになる。
【００５５】
この条件下では、撮影環境取得回路２０４は、半球情報及び緯度情報として、参照テーブル３０１から夫々「０」、「１」を取得する。そして、半球情報及び月情報から、参照テーブル４０１に基づき季節属性として「春／秋」を示す「１」を取得する。同様に、現在時刻から参照テーブル５０１に基づき現在時の時間属性として「昼」を示す「２」を取得する。
【００５６】
次いで、評価回路２０５が、得られた季節属性及び時間属性と、参照テーブル６０１に示す各撮影モードに対して定義されている季節属性及び時間属性と比較し、各撮影モードの評価値を決定する。並べ替え前（初期状態）の撮影モード表示順９０３ｂに対し、上述の評価結果データ９０３ａに基づいて、評価値が大きい順（＝優先度の高い順）に表示の上位となるように並べ替えを行うと、撮影モード表示順９０３ｃが得られる。つまり、昼間撮影に適した撮影モードが撮影モード選択画面１００２の上位に配置され、夜間の撮影に適した撮影モードが下位に配置される。更に、昼間撮影に適した撮影モードの間では、「春／秋」の属性を有する撮影モードが上位に配置される。
【００５７】
このような本実施形態によれば、撮影環境に適した撮影モードを速やかに選択することができる。また、撮影環境の一種として時間帯及び季節を定義しているため、昼間の撮影時に夜間撮影に効果的な撮影モードの優先度を下げたり、冬場の撮影で夏の海浜での撮影に効果的な撮影モードの優先度を下げたりすることができる。この結果、撮影時の季節及び時間帯に適さない撮影モードの優先度を下げることできる。
【００５８】
なお、上述の実施形態では、評価値が互いに等しい撮影モードが２以上ある場合に、並び替え直前の並び順において上位にある撮影モードをより上位となるように並べ替えているが、他の基準を採用してもよい。例えば、各撮影モードについて、ユーザにより選択された回数をデジタルスチルカメラ１００内部のＲＡＭ等のメモリ（選択回数記憶手段）に記憶させておき、その選択回数が多いモードほど上位になるようにしてもよい。この基準を採用することにより、ユーザの好みや使用状況を反映させることが可能となる。つまり、過去に選択された回数の多い撮影モードの優先度を上げることで、ユーザの使用頻度の高い撮影モードの優先度を上げることができる。
【００５９】
また、評価値の算出方法については、上述の実施形態のような加算及び減算だけでなく、属性に基づいて重み付けをし、重み付け平均を算出してもよい。また、「夏」、「冬」に対して「春／秋」を隣接属性とし評価値を算出したり、「昼」、「夜」に対して「朝／夕」を隣接属性として評価値を算出したりしてもよい。
【００６０】
このような本実施形態によれば、選択手段、例えばメニューキーが操作された時の撮影環境に基づいて撮影モードの表示態様が変化するため、撮影環境に適した撮影モードを速やかに選択することができる。特に、撮影環境取得手段が前記撮影環境として日付、時刻及び位置を取得するようにし、複数の撮影モードの各々に対して予め定義された撮影環境に時間帯及び季節を含ませておくことにより、時間帯及び季節に合った表示が可能となる。例えば、昼間の撮影時に夜間撮影に効果的な撮影モードの優先度を下げたり、冬場の撮影で夏の海浜での撮影に効果的な撮影モードの優先度を下げたりすることができる。つまり、撮影時の季節及び時間帯に適さない撮影モードの優先度を下げることが可能となる。更に、類似度が高い順に複数の撮影モードの種類を並べつつ、類似度が互いに等しい撮影モードが２種類以上ある場合には、当該類似度が互いに等しい撮影モードについては、選択回数が大きい順に並べることにより、使用頻度に応じた表示が可能となる。この結果、ユーザの好み等に応じて撮影モードの表示態様を調整することが可能となる。
【００６１】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００６２】
【図１ａ】本発明の実施形態に係るデジタルスチルカメラを示す図である。
【図１ｂ】図１ａと同じく、デジタルスチルカメラを示す図である。
【図２】本発明の実施形態に係るデジタルスチルカメラの内部構成を示すブロック図である。
【図３】参照テーブル３０１の内容を示す図である。
【図４】参照テーブル４０１の内容を示す図である。
【図５】参照テーブル５０１の内容を示す図である。
【図６】参照テーブル６０１の内容を示す図である。
【図７ａ】アイコン１００４の配列例を示す図である。
【図７ｂ】アイコン１００４の他の配列例を示す図である。
【図７ｃ】アイコン１００４の更に他の配列例を示す図である。
【図８】撮影環境生成回路２０４及び評価回路２０５の動作を示すフローチャートである。
【図９ａ】評価回路２０５の動作例を示す図である。
【図９ｂ】評価回路２０５の他の動作例を示す図である。
【図９ｃ】評価回路２０５の更に他の動作例を示す図である。
【図１０】表示装置１０２に表示される画像の例を示す図である。
【符号の説明】
【００６３】
１００：デジタルスチルカメラ（撮像装置）
１０１：トリガースイッチ
１０２：表示装置
１０３：メニューキー
１０４、１０５：選択キー
１０６：決定キー
２０１：ＧＰＳユニット
２０２：ＧＰＳアンテナ
２０３：時計回路
２０４：撮影環境生成回路
２０５：評価回路
２０８：表示データ生成回路
２０９：表示回路
３０１：参照テーブル（エリア情報取得テーブル）
４０１：参照テーブル（季節属性取得テーブル）
５０１：参照テーブル（時間属性取得テーブル）
６０１：参照テーブル（撮影モード属性定義テーブル）
９０１ａ、９０２ａ、９０３ａ：評価結果データ
９０１ｂ、９０２ｂ、９０３ｂ：撮影モード表示順（並べ替え前）
９０１ｃ、９０２ｃ、９０３ｃ：撮影モード表示順（並べ替え後）
１００１：撮影画面
１００２：撮影モード選択画面
１００３：撮影モード選択補助表示
１００４：アイコンおよび名称表示
１００５：撮影モード選択用カーソル
【図１ａ】
2007235424.tif 000003
【図１ｂ】
2007235424.tif 000004
【図２】
2007235424.tif 000005
【図３】
2007235424.tif 000006
【図４】
2007235424.tif 000007
【図５】
2007235424.tif 000008
【図６】
2007235424.tif 000009
【図７ａ】
2007235424.tif 000010
【図７ｂ】
2007235424.tif 000011
【図７ｃ】
2007235424.tif 000012
【図８】
2007235424.tif 000013
【図９ａ】
2007235424.tif 000014
【図９ｂ】
2007235424.tif 000015
【図９ｃ】
2007235424.tif 000016
【図１０】
2007235424.tif 000017